(57)【特許請求の範囲】
【請求項１】
移動通信ネットワークのネットワークノードで用いる方法であって、前記ネットワークノードは、ノンコードブックベースのマルチストリームビームフォーミングを用いる複数のアンテナポートを含むアンテナに関連付けられ、前記方法は、
−第一のユーザ機器（ＵＥ）固有の参照信号を第一のアンテナポートに印加するステップと、
−前記第一のＵＥ固有の参照信号を再利用して、あるアンテナポートに直交に印加されるようにするステップと、
を含み、
前記再利用された第一のＵＥ固有の参照信号は、前記第一のＵＥ固有の参照信号の集合に基づいて空間周波数ブロック符号化が施されている、方法。
【請求項２】
前記再利用された第一のＵＥ固有の参照信号は、第二のアンテナポートで、前記第一のアンテナポートに印加された前記第一のＵＥ固有の参照信号とは異なる時間周波数リソースエレメントにおいて多重化される、請求項１に記載の方法。
【請求項３】
前記再利用された第一のＵＥ固有の参照信号は前記第一のアンテナポートに印加され、前記第一のＵＥ固有の参照信号の集合と同じ時間周波数リソースエレメントを共有する、請求項１または２に記載の方法。
【請求項４】
前記第一のＵＥ固有の参照信号を再利用するステップは、
−前記再利用される第一のＵＥ固有の参照信号を、リソースエレメントの集合において符号分割多重化するステップをさらに含む、請求項３に記載の方法。
【請求項５】
移動通信ネットワークのネットワークノードであって、前記ネットワークノードは、ノンコードブックベースのマルチストリームビームフォーミングを使用する複数のアンテナポートを含むアンテナに関連付けられ、前記ネットワークノードは、第一のユーザ機器（ＵＥ）固有の参照信号を第一のアンテナポートに印加し、前記第一のＵＥ固有の参照信号を再利用して、あるアンテナポートに直交に印加されるようにするように構成されたプロセッサを含み、前記再利用された第一のＵＥ固有の参照信号は、前記第一のＵＥ固有の参照信号に基づいて空間周波数ブロック符号化が施されている、ネットワークノード。
【請求項６】
前記プロセッサは、前記再利用された第一のＵＥ固有の参照信号を、第二のアンテナポートで、前記第一のアンテナポートに印加された前記第一のＵＥ固有の参照信号とは異なる時間周波数リソースエレメントにおいて多重化するように構成されている、請求項５に記載のネットワークノード。
【請求項７】
前記プロセッサは、前記再利用された第一のＵＥ固有の参照信号を前記第一のアンテナポートに印加して、前記第一のＵＥ固有の参照信号の集合と同じ時間周波数リソースエレメントを共有するように構成されている、請求項５または６に記載のネットワークノード。
【請求項８】
前記プロセッサは、前記再利用された第一のＵＥ固有の参照信号を、リソースエレメントの集合において符号分割多重化するようにさらに構成されている、請求項７に記載のネットワークノード。
【発明の詳細な説明】
【技術分野】
【０００１】
本発明は、複数のアンテナを備えた移動通信ネットワークに用いる方法と装置に関する。特に、本発明は、ノンコードブックベースのマルチストリームビームフォーミング／プリコーディングのための複数のＵＥ固有の参照信号の設計に関する。
【背景技術】
【０００２】
マルチアンテナ技術は、現代の無線通信システムにおいて、大容量化とサービスエリア拡大を含めたシステム性能の向上ならびに提供サービスの改善を実現するうえで重要な役割を果たす。マルチアンテナ技術の実装に伴う１つの課題は、送信機または受信機でのチャネル状態情報（ＣＳＩ）の取得である。一般に、チャネルは、所定のトレーニング系列を通じて推定することができ、この系列はしばしば参照信号と呼ばれる。下りリンク伝送を例にとると、基地局は参照信号を携帯端末に伝送し、チャネル行列を受信機側で推定できるようにするべきである。推定されたこのチャネル行列を用いて、コヒーレント変調を実行できる。その結果、潜在的なビームフォーミングゲイン、空間ダイバーシチゲインおよび空間多重ゲインが得られる。それに加えて、参照信号をチャネル品質の測定に使用して、リンクアダプテーションをサポートすることができる。直交周波数分割多重（ＯＦＤＭ）伝送の場合、参照信号の単純な設計としては、既知の参照信号をＯＦＤＭ時間周波数グリッドに挿入する。
【０００３】
３ＧＰＰ技術仕様書である3GPP TS 36.211 V8.3.0 (2008-05), “Evolved Universal Terrestrial Radio Access (E-UTRA); Physical channels and modulation”、3GPP TS 36.212 V8.3.0 (2008-05) “Evolved Universal Terrestrial Radio Access (E-UTRA); Multiplexing and channel coding”および3GPP TS 36.213 V8.3.0 (2008-05) “Evolved Universal Terrestrial Radio Access (E-UTRA); Physical layer procedures”においては、２種類の下りリンク参照信号、すなわち、セル固有の参照信号とＵＥ固有の参照信号が定義されている。（上記の３ＧＰＰ技術仕様書はＬＴＥリリース８と呼ばれる。）
【０００４】
コードブックベースのマルチストリーム空間多重伝送をサポートしようとする場合、図１に示すように、４つのアンテナポート０から３に対応して、最大４つのセル固有の参照信号が定義される。
【０００５】
コードブックとは、ランクの異なる多数のプリコーディング行列で構成される、予め決められた有限集合である。コードブックベースのプリコーディングでは、ユーザ機器（ＵＥ）は、まず複数のセル固有の参照信号に基づいてチャネル行列を推定し、その後ＵＥはすべてのプリコーディング行列について網羅的な検索を行い、ＬＴＥにおいてｅＮｏｄｅＢと呼ばれる基地局に対して、特定の基準、たとえばシステムスループットの最大化等に基づいて好ましいプリコーディング行列インディケータ（ＰＭＩ）を報告する。ＰＭＩは、ｅＮｏｄｅＢで上書きできることに留意されたい。留意すべき点として、チャネル行列とは、プリコーディング行列を乗じることによるプリコーディング済みチャネル情報を指し、すなわち、Ｙ＝Ｈ＊Ｗであり、式中、Ｙはプリコーディング済みチャネル行列、Ｈはチャネル行列、およびＷはプリコーディング行列である。
【０００６】
しかしながら、ノンコードブックベースのシングルストリームビームフォーミング伝送をサポートしようとする場合、図２に示すように、アンテナポート５でＵＥ固有の参照信号が１つだけ定義されて、この信号は対応する物理下りリンク共有チャネル（ＰＤＳＣＨ）がマッピングされたリソースブロックでのみ伝送される。
【０００７】
ノンコードブックベースのプリコーディングでは、ＵＥ固有の参照信号とデータ信号の両方に適用されるプリコーディングウェイト行列は、コードブックセットから読み出されるのではなく、たとえば固有周波数分解ベースまたは到来方向ベースの基準をはじめとするいくつかの基準に関してｅＮｏｄｅＢにより直接計算される。ＴＤＤ（時分割復信）システムにおいては、チャネル相互依存性により、ノンコードブックベースのビームフォーミング／プリコーディングはさらに上りリンクフィードバックを減少させ、ビームフォーミングゲインを改善することができる。
【０００８】
ＬＴＥシステムの下りリンク伝送では、コードブックベースのプリコーディングとノンコードブックベースのビームフォーミング／プリコーディングの両方が、最大４本の伝送アンテナについてサポートされる。
【０００９】
コードブックベースのマルチストリーム空間伝送間の伝送モード切替は、より高いレイヤの信号伝送を通じて半静的に構成される。
【００１０】
しかしながら、将来の通信システム、たとえばＬＴＤ−Ａｄｖａｎｃｅは、より高い性能目標を達成するために、さらに多くの伝送アンテナを使用する可能性がある。特に、たとえば８本の伝送アンテナを装備したシステムの場合、プリコーダと参照信号の点で、現在のコードブックベースのプリコーディングを拡張する必要がある。
【００１１】
これに対して、ノンコードブックベースのマルチストリームビームフォーミングは、将来の無線通信システムにとって最も重要な候補技術の一つと考えられる。この高度なマルチアンテナ技術は、受信信号対ノイズ比（ＳＮＲ）改善のためのビームフォーミングゲインと、ピーク時データ速度改善のための多層伝送を同時に利用することができる。コードブックベースの空間多重伝送と比較して、ノンコードブックベースのマルチストリームビームフォーミングは、シグナリングオーバーヘッドの低減と性能向上という利点を有する可能性がある。
【００１２】
しかしながら、ノンコードブックベースのマルチストリームビームフォーミングをサポートするためには、複数のＵＥ固有の参照信号を、最小限の労力で、特に既存のアンテナポート５とＬＴＥリリース８に定義されているＵＥ固有の参照信号に基づいて定義することが必要である。
【発明の概要】
【課題を解決するための手段】
【００１３】
本発明は、ノンコードブックベースのマルチストリームビームフォーミング／プリコーディングをサポートするために複数のＵＥ固有の参照信号を利用できるように、直交ＵＥ固有の参照信号を設計する装置と方法に関する。これは、既存のＵＥ固有の参照信号を再利用して、この既存のＵＥ参照信号と直交する他のＵＥ固有の参照信号を取得することによって実現される。
【００１４】
そこで、本発明の第一の態様によれば、移動通信ネットワークのネットワークノードにおいて使用される方法が提供される。ネットワークノードは、ノンコードブックベースのマルチストリームビームフォーミングを利用する複数のアンテナポートを含むアンテナに関連付けられる。この方法においては、第一のＵＥ固有の参照信号が第一のアンテナポートに印加され、この第一のＵＥ固有の参照信号が再利用されて、あるアンテナポートに直交に印加される。このアンテナポートは第一のアンテナポートと同じでもよく、この場合、再利用されたＵＥ固有の参照信号はＵＥ固有の参照信号の第一の集合と同じ時間周波数リソースエレメントにおいて符号分割多重化され、また、アンテナポートは第二のアンテナポートでもよく、この場合は、再利用されたＵＥ固有の参照信号はＵＥ固有の参照信号の第一の集合とは異なる時間周波数リソースエレメントにおいて多重化される。
【００１５】
本発明の第二の態様によれば、移動通信ネットワークのネットワークノードが提供される。このネットワークノードは、ノンコードブックベースのマルチストリームビームフォーミングを利用する複数のアンテナポートを含むアンテナに関連付けられる。さらに、このネットワークノードは、第一のアンテナポートに第一のＵＥ固有の参照信号を印加し、第一のＵＥ固有の参照信号を再利用して、あるアンテナポートに直交に印加されるように構成されたプロセッサを含む。
【００１６】
あるセルの中の複数のＵＥ固有の参照信号の直交性を保持するために、各種の実施形態が提案されているが、これらには、たとえばオーバーヘッド、チャネル推定性能等の面で幾分かの犠牲が伴う。これらの実施形態は、以下のような３つのカテゴリに分類することができる。
【００１７】
性能の面から、この実施形態において、複数のＵＥ固有の参照信号が異なる時間周波数リソースエレメントにおいて多重化される。これは、複数のアンテナポートが既存のＵＥ固有の参照信号を再利用する方式１で使用される。
【００１８】
オーバーヘッドの面から、別の実施形態において、複数のＵＥ固有の参照信号が、割り当てられたリソースブロック内のリソースエレメントの集合において符号分割多重化されて、同じアンテナポート５を共有する。マルチストリーム伝送の要求によって、動作点(operating point)はより高いＳＮＲへと移行し、それが、複数のＵＥ固有の参照信号を分離して、チャネル推定精度／性能を向上させるのに役立つ。これは方式２から４で使用される。方式２においては、既存のＵＥ固有の参照信号の巡回シフトが、新たなＵＥ固有の参照信号に使用される。方式３では、既存のＵＥ固有の参照信号に基づく直交カバー(orthogonal cover)が新たなＵＥ固有の参照信号に使用され、方式４では、空間周波数ブロック符号（ＳＦＢＣ）が既存のＵＥ固有の参照信号に適用されて、新たなＵＥ固有の参照信号が取得される。さらに、オーバーヘッドと性能との間で妥協が必要な場合は、方式１と方式２から４のうちの少なくとも１つとを組み合わせたものも利用できる。
【００１９】
受信機では、異なるストリームを変調し、復号するために使用される有効なチャネル状態情報は、複数のＵＥ固有の参照信号、たとえばパイロット信号を通じて推定することができる。
【００２０】
本発明の実施形態の利点は、ノンコードブックベースのマルチストリーム下りリンク伝送をサポートできることである。異なるストリームを変調し、復号するために使用される有効なチャネル状態情報は、複数のＵＥ固有の参照信号を通じて推定することができる。
【００２１】
本発明の実施形態の別の利点は、複数のＵＥ固有の参照信号を生成するための複雑さが軽減されることであり、これは、より多くのアンテナポートまたは単純な操作が既存のＥＵ固有の参照信号に基づいているからである。
【００２２】
本発明の実施形態のまた別の利点は、ランクアダプテーション、すなわち、アンテナポートまたはＵＥ固有の参照信号の数を調整するための切替がフレキシブルに行われることである。
【００２３】
本発明の実施形態のさらに別の利点は、効率的なオーバーヘッド削減が行われることである。符号分割多重における複数のＵＥ固有の参照信号はアンテナポート５の中の同じリソースエレメントを共有し、これはすなわち、方式２から４である。さらに、方式５は、オーバーヘッドと性能の両方を考慮する。
【００２４】
本発明の実施形態のさらにまた別の利点は、今後のＬＴＥリリースに容易に導入できることである。複数のＵＥ固有の参照信号を既存のアンテナポート５または既存のＵＥ固有の参照信号に基づいて導入することは容易である。
【図面の簡単な説明】
【００２５】
【図１】先行技術による通常のＣＰ（巡回プレフィックス）を有するＬＴＥの複数の下りリンクセル固有の参照信号を示す。
【図２】先行技術による通常のＣＰを有するＬＴＥの１つの下りリンクＵＥ固有の参照信号を示す。
【図３】本発明の１つの実施形態による、同じＵＥ固有の参照信号の２つのアンテナポートへの再利用を示す。
【図４】本発明の実施形態による、巡回シフトを利用した複数のＵＥ固有の参照信号の生成を示す。
【図５】本発明の１つの実施形態による、長さ４の直交カバーによる複数のＵＥ固有の参照信号の生成を示す。
【図６】本発明のある実施形態による、２×２のアラモウチ(Alamouti)符号による２つのＵＥ固有の参照信号の生成を示す。
【図７】本発明の実施形態による方法を示すフローチャートである。
【図８】本発明の実施形態による、関連付けられたアンテナポートを有するネットワークノードを概略的に示す。
【図９】本発明の実施形態を実装できるＬＴＥネットワークを概略的に示す。
【発明を実施するための形態】
【００２６】
以下に、本発明の好ましい実施形態が示されている添付の図面を参照しながら本発明をさらに十分に説明する。しかしながら、本発明は、さまざまな形態で実施でき、本明細書に示す実施形態に限定されると解釈するべきではない。むしろ、これらの実施形態は、本開示を完璧で完全なものとするために提供されており、当業者に対して本発明の範囲を十分に伝えるものである。図面において、同様の符号は同様の要素を指す。
【００２７】
さらに、当業者であれば、本明細書において以下に説明する手段と機能は、プログラムされたマイクロプロセッサまたは汎用コンピュータと一緒に機能するソフトウェアを使って、および／または特定用途集積回路（ＡＳＩＣ）を使って実施してもよいことがわかるであろう。また、本発明は主として方法および装置の形で説明されているが、本発明は、コンピュータプログラム製品ならびに、コンピュータプロセッサとプロセッサに接続されたメモリからなり、そのメモリには本明細書で説明する機能を実行できる１つまたは複数のプログラムが符号化されて記憶されているようなシステムにおいても実施できることがわかるであろう。
【００２８】
図９は、本発明の実施形態を実装できるLong Term Evolution（ＬＴＥ）ネットワーク９００を示している。ｅＮｏｄｅ  Ｂと呼ばれる無線基地局８０１がコアネットワーク９０３に接続され、また相互にも接続されている。各ｅＮｏｄｅ  Ｂ  ８０１は、複数のアンテナポートを含むアンテナ８０２を有する。ｅＮｏｄｅ  Ｂは、ユーザ機器９０４と無線通信する。
【００２９】
本発明の実施形態は、ＬＴＥ（Long Term Evolution）基準に基づく移動通信ネットワークに関連して説明されているが、本発明はＬＴＥに限定されず、ノンコードブックベースのマルチストリームビームフォーミングを可能にするために、複数のＵＥ固有の参照信号を使ったネットワークでも使用できる。
【００３０】
図７のフローチャートによれば、複数のストリームのための複数のＵＥ固有の参照信号を取得するために、第一のＵＥ固有の参照信号が第一のアンテナポートに印加され（７０１）、第一のＵＥ固有の参照信号が再利用されて、あるアンテナポートに直交に印加される（７０２）。
【００３１】
方式１と呼ばれる第一の実施形態によれば、再利用された第一のＵＥ固有の参照信号は、第二のアンテナポートで、第一のアンテナポートに印加された第一のＵＥ固有の参照信号とは異なる時間周波数リソースエレメントにおいて多重化される（７０４）。
【００３２】
ＬＴＥリリース８では、上述のように、ＵＥ固有の参照信号のためにアンテナポート５が規定されている。この実施形態により、マルチストリーム伝送用に参照信号を再利用するためには、より多くのアンテナポートを定義することができ、ＵＥ固有の参照信号のために使用されるリソースエレメントは１つのアンテナポートだけで占有され、これは複数のセル固有の参照信号のマッピングと同様である。たとえば、５から８の４つのアンテナポートは、最大４つのストリームの下りリンクデータ伝送をサポートできる。図３は、説明のためだけに、２つのアンテナポートの基本的構造を示す。これより多くのアンテナポートも同じような設計である。そこで、ＵＥ固有の参照信号は、ポート５から、およびポート６から伝送され、ＵＥ固有の参照信号に使用されるポート５のリソースエレメント３０１は、ＵＥ固有の参照信号に使用されるポート６のリソース要素３０２に直交する。
【００３３】
方式１では、アンテナポート間の干渉が回避されるため、より高いチャネル推定精度を実現できることが示唆される。
【００３４】
方式１に対して、方式２から４と呼ばれる別の実施形態によれば、ＵＥ固有の参照信号は、割り当てられたリソースブロック内のリソースエレメント集合の中で直交するように符号分割多重化されて（７０３）、同じアンテナポート（アンテナポート５）を共有し、すなわち、再利用される第一のＵＥ固有の参照信号は第一のアンテナポートに印加され、リソースエレメント集合において再利用された第一のＵＥ固有の参照信号を符号分割多重化する（７０３）ことによって、第一のＵＥ固有の参照信号と同じ時間周波数リソースエレメントを共有する。
【００３５】
方式２と呼ばれる第二の実施形態によれば、ＬＴＥにおけるアンテナポート５の既存のＵＥ固有の参照信号は疑似ランダム系列であるため、複数のＵＥ固有の参照信号は、巡回シフトを導入してＵＥ固有の参照信号の良好な自己相関性（直交性）を保証することによって生成できる。図４は、例として、既存のＵＥ固有の参照信号に基づいて巡回シフトを施した４つの系列を示す。このように、第一のＵＥ固有の参照信号がアンテナポート５に送信される。これに加えて、第二、第三および第四のＵＥ固有の参照信号もまた、アンテナポート５の、第一のＵＥ固有の参照信号と同じリソースエレメント上に印加される。しかしながら、第二のＵＥ固有の参照信号は第一のＵＥ固有の参照信号の巡回形であり、第三のＵＥ固有の参照信号は第二のＵＥ固有の参照信号の巡回形であり、第四のＵＥ固有の参照信号は第三のＵＥ固有の参照信号の巡回形である。留意すべき点として、同様の方法で生成できるＵＥ固有の参照信号は４つより多くても少なくてもよく、すなわち、アンテナポート５は、方式２を採用することにより、複数のＵＥ固有の参照信号を伝送することができ、各参照信号は既存のＵＥ固有の参照信号の巡回シフト形である。
【００３６】
したがって、方式２を採用した結果、方式１よりオーバーヘッドが低減するが、これは同じアンテナポート（たとえば、アンテナポート５）を複数のＵＥ固有の参照信号のために使用でき、また複数のストリームの伝送のために同じ系列が保持できるからであり、すなわち、方式２では符号分割多重方式が使用され、各層は、異なる直交カバーの同じ参照信号を共有できるからである。
【００３７】
さらに、複数のアンテナポートの代わりに、複数のＵＥ固有の参照信号を選択することによって、ランクアダプテーションのためのフレキシブルな切替が可能である。方式２の別の利点は、複数のＵＥ固有の参照信号をフレキシブルに、たとえば異なるシフト間隔で生成できることである。
【００３８】
方式３と呼ばれる別の方式は、方式２と同じ原理に従っており、すなわち、時間周波数領域において符号分割多重化（ＣＤＭ）された複数のＵＥ固有の参照信号が同じアンテナポートを共有する。複数のＵＥ固有の参照信号の間の直交性を保持するために、長さＭの直交符号系列を既存のＵＥ固有の参照信号に適用することができる。ＵＥ固有の参照信号の数は、直交符号の長さによって決定される。図５は、４つのＵＥ固有の参照信号の生成を示しており、これらは既存のＵＥ固有の参照信号の長さ４の直交カバーである。このように、第一のＵＥ固有の参照信号がアンテナポート５に送信される（［１  １  １  １］の直交カバー）。さらに、第二、第三および第四のＥＵ固有の参照信号も、アンテナポート５の、第一のＵＥ固有の参照信号と同じリソースエレメントに印加される。しかしながら、第二のＵＥ固有の参照信号は第一のＵＥ固有の参照信号の直交カバーであり、直交符号［１  １  −１  −１］が適用される。第三のＵＥ固有の参照信号は、第一と第二のＵＥ固有の参照信号の直交カバーであり、直交符号［１  −１  −１  １］が適用される。第四のＵＥ固有の参照信号は、第一、第二および第三のＥＵ固有の参照信号の直交カバーであり、直交符号［１  −１  １  −１］が適用される。直交カバーの配置は、点線の囲み５０１によって表示され、例にすぎず、各ＵＥ固有の参照信号について推定された領域を示している。
【００３９】
したがって、方式３は同じアンテナポートが共有されるために方式１よりオーバーヘッドが低く、複数のストリームの伝送について、同じ系列を保持することができる。複数のアンテナポートの代わりに複数のＥＵ固有の参照信号を選択することによって、ランクアダプテーションのためのフレキシブルな切替が可能となり、また、たとえば符号長２のＷａｌｓｈ符号、符号長３のＤＦＴ符号、符号長４のＷａｌｓｈ符号等、複数のＥＵ固有の参照信号をフレキシブルに生成できる。
【００４０】
方式４と呼ばれる別の方式は、方式２と３と同じ原理に従っており、すなわち、時間周波数領域において符号分割多重化（ＣＤＭ）された複数のＵＥ固有の参照信号は、同じアンテナポートを共有する。複数のＵＥ固有の参照信号の間の直交性を保持するために、空間周波数領域内の空間周波数ブロック符号（ＳＦＢＣ）を適用して、複数のＥＵ固有の参照信号を生成することができる。ＳＦＢＣ構造の一例として、２×２のアラモウチ行列がある。図６は、２×２のアラモウチ行列６０２に基づいて２つのＵＥ固有の参照信号を生成することを示しており、２つの隣接するリソースエレメントは、たとえば６０１としてまとめられる。第一のＵＥ固有の参照信号において、２つの隣接するリソースエレメントは６０１にまとめられ、ＳＦＢＣ  ６０３がグループ６０１に適用されて、その結果、第二のＵＥ固有の参照信号６０３が生成される。
【００４１】
２つのＵＥ固有の参照信号は、たとえば、以下の行列によるＳＦＢＣを適用することによって生成できる。Ｘ１とＸ２は第一のストリームの参照信号であり、Ｘ１ＸとＸ２Ｘは第二のストリームの参照信号である。
【数１】
0005538400.tif 000002
【００４２】
３つのＵＥ固有の参照信号は、たとえば、以下の行列によるＳＦＢＣを適用することによって生成できる。Ｘ１、Ｘ２およびＸ３は第一のストリームの参照信号であり、したがってＸ１Ｘ、Ｘ２ＸおよびＸ３ＸはＸ１、Ｘ２およびＸ３の複素共役である。
【数２】
0005538400.tif 000003
【００４３】
４つのＵＥ固有の参照信号は、たとえば、以下の行列によるＳＦＢＣを適用することによって生成できる。Ｘ１、Ｘ２、Ｘ３およびＸ４は第一のストリームの参照信号であり、したがってＸ１Ｘ、Ｘ２Ｘ、Ｘ３ＸおよびＸ４Ｘは、Ｘ１、Ｘ２およびＸ３の複素共役である。
【数３】
0005538400.tif 000004
【００４４】
方式４は同じアンテナポートが共有されるために方式１よりオーバーヘッドが低く、複数のストリームの伝送について、同じ系列を保持することができる。複数のアンテナポートの代わりに複数のＥＵ固有の参照信号を選択することによって、ランクアダプテーションのためのフレキシブルな切替が可能となる。
【００４５】
さらに別の実施形態によれば、方式１は、方式２から４の少なくとも１つと組み合わされる。これを、方式５と呼ぶ。この実施形態で、オーバーヘッドとチャネル推定精度の間で妥協が行われる。たとえば、符号分割多重化された２つのＵＥ固有の参照信号を用いる２つのアンテナポートで、最大４つのストリームの伝送をサポートすることができ、この場合、２つのＵＥ固有の参照信号は、方式２から４のいずれかを使用して生成される。たとえば、１つのＵＥ固有の参照信号が必要な場合（１つのストリームを伝送する）、アンテナポート１を使用してもよく、２つのＵＥ固有の参照信号が必要な場合、アンテナポート５と６を使用してもよい。さらに、３つのＵＥ固有の参照信号が必要な場合、１つの参照信号をアンテナポート５から送信してもよく、２つの参照信号をアンテナポート６から、方式２から４のいずれかを使って送信してもよい。
【００４６】
さらに、本発明は、基地局等のネットワークノード８０１に関し、このノードは図８に示すように、ＬＴＥではｅＮｏｄｅＢとも呼ばれる。ネットワークノードは、ノンコードブックベースのマルチストリームビームフォーミングを使って、複数のアンテナポートを含むアンテナ８０２に関連付けられる。ネットワークノードはプロセッサ８０３を含み、このプロセッサは、第一のアンテナポート８０２ａに第一のＵＥ固有の参照信号８０４を印加し、この第一のＵＥ固有の参照信号を再利用してアンテナポート８０２ａ；ｂに直交に印加されるように構成される。
【００４７】
第一の実施形態によれば、プロセッサ８０３は、再利用された第一のＵＥ固有の参照信号８０５’を、第二のアンテナポートで、第一のアンテナポートに印加された第一のＵＥ固有の参照信号とは異なる時間周波数リソースエレメントにおいて多重化するように構成される。
【００４８】
別の実施形態によれば、前述のように、プロセッサ８０３は、再利用された第一のＵＥ固有の参照信号を第一のアンテナポートに印加し、第一のＵＥ固有の参照信号の集合と同じ時間周波数リソースエレメントを共有するように構成されている。複数のＵＥ固有の参照信号の間の直交性は、これらの実施形態においては、再利用された第一のＵＥ固有の参照信号８０５を、あるリソースエレメントの集合において符号分割多重化するように構成されたプロセッサ８０３によって実現される。
【００４９】
留意すべき点として、ネットワークノード８０１はまた、他の標準的デバイスを含む。しかしながら、これらのデバイスは本発明に不可欠とは考えられず、そのため、図に示されず、すなわち詳しくは説明されていない。
【００５０】
本発明は、上記の好ましい実施形態に限定されない。各種の変更、改良および等価物を使用してもよい。したがって、上記の実施形態を、本発明の範囲を限定するものと解釈するべきではなく、本発明の範囲は付属の特許請求範囲で定義される。
【図１】
0005538400.tif 000005
【図２】
0005538400.tif 000006
【図３】
0005538400.tif 000007
【図４】
0005538400.tif 000008
【図５】
0005538400.tif 000009
【図６】
0005538400.tif 000010
【図７】
0005538400.tif 000011
【図８】
0005538400.tif 000012
【図９】
0005538400.tif 000013